(57)【要約】【課題】獣毛調の肌さわりを呈する、合成樹脂製モノフィラメントからなるブラシ用毛材およびその製造方法およびブラシ製品を提供する。【解決手段】走行する合成樹脂製モノフィラメントをオーバーフィード率１２〜５０％、温度１８０〜２１０℃の条件で加熱処理することにより、合成樹脂製モノフィラメントの繊維軸方向に不規則な波形状を付与する。【選択図】図１
2008154919.tif 000002
【特許請求の範囲】
【請求項１】
合成樹脂製モノフィラメントからなるブラシ用毛材であって、繊維軸方向に不規則な波形状を有することを特徴とするブラシ用毛材。
ただし、不規則な波形状とは、波形状の波長が一定でないという意味である。
【請求項２】
ブラシ用毛材の繊維軸に沿って個々の波長Ｌを測定し、波長Ｌの最大値Ｌｍａｘと最小値Ｌｍｉｎとの比Ｌｍａｘ／Ｌｍｉｎが１．２以上である、請求項１に記載のブラシ用毛材。
【請求項３】
前記の波長Ｌが０．１〜３０ｍｍの範囲内である、請求項１または請求項２に記載のブラシ用毛材。
【請求項４】
波形状の巾Ｗが０．１〜１０ｍｍの範囲内である、請求項１〜３のいずれかに記載のブラシ用毛材。
【請求項５】
ブラシ用毛材の直径が０．０２〜０．２ｍｍの範囲内である、請求項１〜４のいずれかに記載のブラシ用毛材。
【請求項６】
ブラシ用毛材の全長ＬＬが２５〜２００ｍｍの範囲内である、請求項１〜５のいずれかに記載のブラシ用毛材。
【請求項７】
前記の合成樹脂製モノフィラメントがポリブチレンテレフタレートで形成される、請求項１〜６のいずれかに記載のブラシ用毛材。
【請求項８】
ブラシ用毛材の先端部分がテーパー加工を施されてなる、請求項１〜７のいずれかに記載のブラシ用毛材。
【請求項９】
ブラシ用毛材が着色されてなる、請求項１〜８のいずれかに記載のブラシ用毛材。
【請求項１０】
ブラシ用毛材に帯電防止加工が施されてなる、請求項１〜９のいずれかに記載のブラシ用毛材。
【請求項１１】
ブラシ用毛材の表面にプラズマ照射またはサンドブラスト加工により凹凸が付与されてなる、請求項１〜１０のいずれかに記載のブラシ用毛材。
【請求項１２】
請求項１〜１１のいずれかに記載のブラシ用毛材を用いてなる、化粧ブラシ、化粧筆、ボデイブラシ、毛筆、絵筆、工業用ブラシ、および歯ブラシからなる群より選択されるいずれかのブラシ製品。
【請求項１３】
走行する合成樹脂製モノフィラメントをオーバーフィード率１２〜５０％、温度１８０〜２１０℃の条件で加熱処理することにより、合成樹脂製モノフィラメントの繊維軸方向に不規則な波形状を付与することを特徴とするブラシ用毛材の製造方法。
ただし、不規則な波形状とは、波形状の波長が一定でないという意味である。
【請求項１４】
ブラシ用毛材の繊維軸に沿って個々の波長Ｌを測定し、波長Ｌの最大値Ｌｍａｘと最小値Ｌｍｉｎとの比Ｌｍａｘ／Ｌｍｉｎが１．２以上である、請求項１３に記載のブラシ用毛材の製造方法。
【請求項１５】
前記の波長Ｌが０．１〜３０ｍｍの範囲内である、請求項１３または請求項１４に記載のブラシ用毛材の製造方法。
【請求項１６】
波形状の巾Ｗが０．１〜１０ｍｍの範囲内である、請求項１３〜１５のいずれかに記載のブラシ用毛材の製造方法。
【請求項１７】
ブラシ用毛材の直径が０．０２〜０．２ｍｍの範囲内である、請求項１３〜１６のいずれかに記載のブラシ用毛材の製造方法。
【請求項１８】
合成樹脂製モノフィラメントの繊維軸方向に不規則な波形状を付与した後、ブラシ用毛材の全長ＬＬが２５〜２００ｍｍの範囲内となるようカットする、請求項１３〜１７のいずれかに記載のブラシ用毛材の製造方法。
【請求項１９】
前記の合成樹脂製モノフィラメントがポリブチレンテレフタレートで形成される、請求項１３〜１８のいずれかに記載のブラシ用毛材の製造方法。
【請求項２０】
ブラシ用毛材の先端部分にテーパー加工を施す、請求項１３〜１９のいずれかに記載のブラシ用毛材の製造方法。
【請求項２１】
ブラシ用毛材を着色する、請求項１３〜２０のいずれかに記載のブラシ用毛材の製造方法。
【請求項２２】
ブラシ用毛材に帯電防止加工を施す、請求項１３〜２１のいずれかに記載のブラシ用毛材の製造方法。
【請求項２３】
ブラシ用毛材の表面にプラズマ照射またはサンドブラスト加工により凹凸を付与する、請求項１３〜２２のいずれかに記載のブラシ用毛材の製造方法。
【発明の詳細な説明】
【技術分野】
【０００１】
本発明は、合成樹脂製モノフィラメントからなるブラシ用毛材およびその製造方法およびブラシ製品に関するものである。
【背景技術】
【０００２】
従来、化粧ブラシなどのブラシ用毛材として獣毛が多用されてきたが、近年では、ブリッスルと称される合成樹脂製モノフィラメントからなるブラシ用毛材が多用されている。かかる合成樹脂製モノフィラメントからなるブラシ用毛材は直線状であるため、肌さわりが硬く毛さばき性も十分ではないという問題があった。
【０００３】
このため、一対の加熱ギヤの間にモノフィラメントを通過させる方法や、モノフィラメントを撚り合わせて熱セットする方法により、合成樹脂製モノフィラメントからなるブラシ用毛材に波形状を付与することが提案されている（例えば、特許文献１、特許文献２参照）。
【０００４】
しかしながら、これらの方法で得られた合成樹脂製モノフィラメントからなるブラシ用毛材は、波形状が規則的（波長が均一）であるため、獣毛調の肌さわりを呈するものといえるものではなかった。
【０００５】
【特許文献１】特開２００５−９５４５７号公報
【特許文献２】特開平１１−２３５２３０号公報
【発明の開示】
【発明が解決しようとする課題】
【０００６】
本発明は上記の背景に鑑みなされたものであり、その目的は、獣毛調の肌さわりを呈する、合成樹脂製モノフィラメントからなるブラシ用毛材およびその製造方法およびブラシ製品を提供することにある。
【課題を解決するための手段】
【０００７】
本発明者は、上記目的を達成するため鋭意検討した結果、走行する合成樹脂製モノフィラメントにオーバーフィードをかけながら熱処理することにより、不規則な波形状を付与することができ、かかる合成樹脂製モノフィラメントを用いてブラシ用毛材を得ると獣毛調の肌さわりを呈することを見出した。そして、さらに鋭意検討を重ねることにより本発明に想到した。
【０００８】
かくして、本発明によれば「合成樹脂製モノフィラメントからなるブラシ用毛材であって、繊維軸方向に不規則な波形状を有することを特徴とするブラシ用毛材。」が提供される。ただし、不規則な波形状とは、ただし、不規則な波形状とは、波形状の波長が一定でないという意味である。
その際、前記の波長Ｌが０．１〜３０ｍｍの範囲内であることが好ましい。また、波形状の巾Ｗが０．１〜１０ｍｍの範囲内であることが好ましい。
【０００９】
本発明のブラシ用毛材において、ブラシ用毛材の直径が０．０２〜０．２ｍｍの範囲内であることが好ましい。ブラシ用毛材の全長ＬＬとしては、２５〜２００ｍｍの範囲内であることが好ましい。また、前記の合成樹脂製モノフィラメントが、ポリブチレンテレフタレートで形成されることが好ましい。また、ブラシ用毛材の先端部分がテーパー加工を施されていることが好ましい。また、ブラシ用毛材が着色されていることが好ましい。また、ブラシ用毛材に帯電防止加工が施されていることが好ましい。また、ブラシ用毛材の表面にプラズマ照射またはサンドブラスト加工により凹凸が付与されていることが好ましい。
【００１０】
本発明によれば、化粧ブラシ、化粧筆、ボデイブラシ、毛筆、絵筆、工業用ブラシ、および歯ブラシからなる群より選択されるいずれかのブラシ製品が提供される。
また、本発明によれば、「走行する合成樹脂製モノフィラメントをオーバーフィード率１２〜５０％、温度１８０〜２１０℃の条件で加熱処理することにより、合成樹脂製モノフィラメントの繊維軸方向に不規則な波形状を付与することを特徴とするブラシ用毛材の製造方法。」が提供される。ただし、不規則な波形状とは、波形状の波長が一定でないという意味である。
【００１１】
その際、ブラシ用毛材の繊維軸に沿って個々の波長Ｌを測定し、波長Ｌの最大値Ｌｍａｘと最小値Ｌｍｉｎとの比Ｌｍａｘ／Ｌｍｉｎが１．２以上であることが好ましい。また、前記の波長Ｌが０．１〜３０ｍｍの範囲内であることが好ましい。また、波形状の巾Ｗが０．１〜１０ｍｍの範囲内であることが好ましい。また、ブラシ用毛材の直径が０．０２〜０．２ｍｍの範囲内であることが好ましい。
【００１２】
本発明のブラシ用毛材の製造方法において、合成樹脂製モノフィラメントの繊維軸方向に不規則な波形状を付与した後、ブラシ用毛材の全長ＬＬが２５〜２００ｍｍの範囲内となるようカットすることが好ましい。また、前記の合成樹脂製モノフィラメントがポリブチレンテレフタレートで形成されることが好ましい。また、ブラシ用毛材の先端部分にテーパー加工を施すことが好ましい。また、ブラシ用毛材を着色することが好ましい。また、ブラシ用毛材に帯電防止加工を施すことが好ましい。また、ブラシ用毛材の表面にプラズマ照射またはサンドブラスト加工により凹凸を付与することが好ましい。
【発明の効果】
【００１３】
本発明によれば、獣毛調の肌さわりを呈する、合成樹脂製モノフィラメントからなるブラシ用毛材およびその製造方法およびブラシ製品が得られる。
【発明を実施するための最良の形態】
【００１４】
以下、本発明の実施の形態について詳細に説明する。
本発明のブラシ用毛材において、繊維軸方向に不規則な波形状を有することが肝要である。このような不規則な波形状により、獣毛調の肌さわりを呈することとなる。従来のような規則的な波形状では、獣毛調の肌さわりが得られず好ましくない。ただし、不規則な波形状とは、ただし、不規則な波形状とは、波形状の波長が一定でないという意味である。特に、図１に模式的に示すように、ブラシ用毛材の繊維軸に沿って個々の波長Ｌを測定し、波長Ｌの最大値Ｌｍａｘと最小値Ｌｍｉｎとの比Ｌｍａｘ／Ｌｍｉｎが１．２以上（特に好ましくは１０．０以上）であることが好ましい。
【００１５】
ここで、前記の波長Ｌとしてはすべて０．１〜３０ｍｍの範囲内であることが好ましい。また、図１に示す波形状の巾Ｗ（隣り合う山部と谷部との垂直距離）としては、すべて０．１〜１０ｍｍの範囲内であることが好ましい。かかる波形状の巾Ｗの最大値ＷｍａｘとＷｍｉｎとの比Ｗｍａｘ／Ｗｍｉｎとしては１．２以上（特に好ましくは１０．０以上）であることが好ましい。
【００１６】
また、本発明のブラシ用毛材の直径としては、０．０２〜０．２ｍｍの範囲内であることが好ましい。該直径が０．０２ｍｍよりも小さくても０．２ｍｍよりも大きくても獣毛調の肌さわりが得られないおそれがある。
【００１７】
本発明のブラシ用毛材において、横断面形状は特に限定されず、丸、三角、扁平、六角など公知の断面形状が採用でき、中空部を有するものであってもよい。なお、ブラシ用毛材の横断面形状が丸でなく異型の場合は、その外接円の直径をもって、ブラシ用毛材の直径とする。
本発明のブラシ用毛材の全長ＬＬとしては、２５〜２００ｍｍの範囲内であることが好ましい。該全長ＬＬは、図１に示す距離を測定するものとする。
【００１８】
本発明のブラシ用毛材を形成する合成樹脂としては、ポリエステル樹脂が熱セット性および染色性の点で好ましい。かかるポリエステル樹脂としては、主たる繰り返し単位がエチレンテレフタレートであるポリエチレンテレフタレート系ポリエステル、主たる繰り返し単位がブチレンテレフタレートであるポリブチレンテレフタレート系ポリエステル、主たる繰り返し単位がプロピレンテレフタレートであるポリプロピレンテレフタレート系ポリエステルが好ましく例示され、第３成分が共重合されたものでもよい。なかでも、ブラシ用毛材に反発性を持たせる上で、ポリブチレンテレフタレートが特に好ましい。かかる合成樹脂には、本発明の目的を損なわない範囲内で必要に応じて、抗菌剤、微細孔形成剤、カチオン可染剤、着色防止剤、熱安定剤、蛍光増白剤、艶消し剤、着色剤、帯電防止剤、吸湿剤、無機微粒子等を１種又は２種以上を添加してもよい。
【００１９】
本発明のブラシ用毛材は下記の製造方法により製造することができる。すなわち、まず、前記のような合成樹脂を用いて常法により合成樹脂製モノフィラメントを紡糸、延伸する。次いで、該合成樹脂製モノフィラメントを複数本（１００〜２０００００本）の繊維束として走行速度２〜１５ｍ／分で、内部が温度１８０〜２１０℃に加熱されたチャンバー（長さ１〜３ｍ）中を、オーバーフィード率１２〜５０％で走行させることにより、合成樹脂製モノフィラメントの繊維軸方向に不規則な波形状を付与することができる。なお、前記オーバーフィード率ＯＦ（％）は下記式により算出される。
ＯＦ（％）＝（Ｖ１−Ｖ２）／Ｖ１×１００
ただし、Ｖ１はチャンバー入口におけるポリエステル系モノフィラメントの走行速度（ｍ／分）、Ｖ２はチャンバー出口におけるポリエステル系モノフィラメントの走行速度（ｍ／分）である。
【００２０】
次いで、繊維軸方向に不規則な波形状を付与されたポリエステル系モノフィラメントを常法により所定の長さにカットすることにより、本発明のブラシ用毛材が得られる。
かくして得られたブラシ用毛材は、繊維軸方向に不規則な波形状を有しているので、獣毛調の肌さわりを呈する。
【００２１】
また、かかるブラシ用毛材において、ブラシ用毛材の先端部分がテーパー加工を施されていることが好ましい。テーパー加工する方法としては、前記のモノフィラメントを適宜束ねて所定の長さに切断した後、毛材の一方先端部分または両先端部分を、濃度２００〜３００ｇ／Ｌ、温度９５〜１１０℃の苛性ソーダバス中に、５０〜２００分間浸漬する方法が好適に例示される。苛性濃度及び浸漬時間は、ブラシ用毛材の用途すなわちモノフィラメントの材質、直径により前記範囲内で適宜設定される。なお、テーパー加工は通常、前記のカットの後に行うことが好ましい。
【００２２】
また、ブラシ用毛材に通常の染色加工を施すことにより着色すると、高級感が呈され好ましい。また、ブラシ用毛材に帯電防止加工を施すと静電気の発生を防ぐことができ好ましい。かかる帯電防止加工に用いる制電剤としては通常のものでよく、例えば、ポリオキシアルキレン鎖成分を含んだ共重合ポリマー、ポリエーテルエステル、ポリウレタン系、変性シリコンなどが例示される。
【００２３】
また、ブラシ用毛材の表面にプラズマ照射またはサンドブラスト加工により凹凸を付与し、獣毛のキューテクルに似せることも、獣毛調の肌さわりを得る上で好ましいことである。
【００２４】
さらには、ポリエチレングリコールジアクリレートやその誘導体、ポリエチレンテレフタレート−ポリエチレングリコール共重合体などの吸水化剤を用いて、ブラシ用毛材に吸水加工を施してもよい。
なお、前記の染色加工、凹凸の付与、吸水加工は前記カットの後に行うことが好ましいが、カットの前に行ってもよい。
【００２５】
また、本発明のブラシ製品は、前記のブラシ用毛材を用いてなる、化粧ブラシ、化粧筆、ボデイブラシ、毛筆、絵筆、工業用ブラシ、および歯ブラシからなる群より選択されるいずれかのブラシ製品である。これらのブラシ製品は、前記のブラシ用毛材を用いているので獣毛調の肌さわりを呈する。
【実施例】
【００２６】
以下、実施例をあげて本発明を詳細に説明するが、本発明はこれらによって何ら限定されるものではない。なお、実施例中の各物性は下記の方法により測定したものである。
（１）波形状の波長Ｌの測定
図１に示すように、左端から順にＬ１、Ｌ２、Ｌ３・・と順次波長の長さを測定した。なお、１波長分の長さに足りない端部は除外した。
（２）波形状の巾Ｗの測定
図１に示すように、左端から順にＷ１、Ｗ２、Ｗ３・・と順次、波形状の巾Ｗ（隣り合う山部と谷部との垂直距離を測定した。
（３）肌さわり
得られたブラシ用毛材を用いて化粧筆を得た後、試験者３人により、下記３段階に官能評価した。３級：獣毛調の肌さわりである。２級：少し獣毛調の肌さわりである。１級：獣毛調の肌さわりでない。
【００２７】
［実施例１］
ポリブチレンテレフタレート（ＩＶ値０．９７、融点２３０℃）樹脂チップを用いて、通常の溶融紡糸方法（溶融温度２９５℃）で紡糸し、４．４倍に延伸することにより直径１００μｍのモノフィラメント（化粧筆用毛材）を得た。
【００２８】
次いで、該モノフィラメント１万本の繊維束を走行速度１０ｍ／分で、内部が温度２００℃に加熱（乾熱）されたチャンバー（長さ３ｍ）中を、オーバーフィード率３０％で走行させることにより加熱処理した。次いで、全長ＬＬが５０ｍｍとなるようにカットすることにより、ブラシ用毛材を得た。そして、ブラシ用毛材の先端部分を、濃度２５０ｇ／ｌ、温度１０２℃の苛性ソーダバス中に、６０分間浸漬することにより、先鋭角のきれいなテーパー形状を形成し、さらに分散染料を用いて淡いピンク色に染色した。
【００２９】
得られたブラシ用毛材は、図１に示すように、繊維軸方向に不規則な波形状を有しており、波長Ｌの最大値Ｌｍａｘが１５ｍｍ、最小値Ｌｍｉｎが０．８ｍｍであった。また、波形状の巾Ｗの最大値Ｗｍａｘが５ｍｍ、最小値Ｗｍｉｎが０．２ｍｍであった。
次いで、該ブラシ用毛材を用いて化粧筆を得た後、肌さわりを評価したところ、獣毛調の肌さわりであった（３級）。
【００３０】
［比較例１］
実施例１において、繊維束を加熱処理しないこと以外は実施例１と同様にした。得られたブラシ用毛材は、直線状で繊維軸方向に波形状を有しておらず、該ブラシ用毛材を用いて化粧筆を得た後、肌さわりを評価したところ、獣毛調の肌さわりでなかった（１級）。
【産業上の利用可能性】
【００３１】
本発明によれば、獣毛調の肌さわりを呈する、合成樹脂製モノフィラメントからなるブラシ用毛材およびその製造方法およびブラシ製品が提供され、その工業的価値は極めて大である。
【図面の簡単な説明】
【００３２】
【図１】波長Ｌおよび波形状の巾Ｗを説明するための説明図である。
【符号の説明】
【００３３】
１：ブラシ用毛材
【図１】
2008154919.tif 000003